(57)【要約】【課題】紙ジャム処理を簡単かつ容易に行うと共に広大な設置スペースを必要とせずに設置可能にする。【解決手段】画像形成を行うべく記録紙を上方向に搬送する第１の紙パス３における給紙カセット２から定着器１２までの下半部に第１の開閉体１５を設け、定着器１２から排出側に至る第１及び第２の紙パスの上半部に第２の開閉体１７を設け、第２の紙パス４における下半部に第３の開閉体１９を設ける。紙パスに対して１枚の開閉体を設けた場合には広大な開扉用スペースを必要とするが、上半部と下半部とに分割して開閉体を設けたため、装置の設置面積として装置自体の占有面積の他には第１または第２の開閉体を開くのに必要なだけの狭くて良い開扉用スペースを確保すれば良く、狭い所への設置が可能になる。開閉体が小さく、作業者が本体に近づけるため作業が容易になる。【選択図】図１
2005082307.tif 000002
【特許請求の範囲】
【請求項１】
給紙カセットから給紙される記録紙を本体の上方向に搬送路を介して排紙トレイへ搬送する縦型搬送手段における紙ジャムを解除するための紙ジャム解除機構であって、
前記搬送路の途中に転写装置及び定着装置が配設され、
前記搬送路の前記定着装置より前記給紙カセット側の下側搬送路と、前記搬送路の前記定着装置から前記排紙トレイ側の上側搬送路と、前記下側搬送路の外側を形成しかつ前記下側搬送路の下部近傍を枢軸として前記本体の外方にて開閉可能に設けられた第１の開閉体と、前記上側搬送路の外側を形成しかつ前記上側搬送路の下部近傍を枢軸として前記本体の外方にて開閉可能に設けられた第２の開閉体とを有することを特徴とする紙ジャム解除機構。
【請求項２】
前記下側搬送路に前記転写装置が配置され、
前記第１の開閉体の内面に、記録紙を前記転写装置の転写体に押圧力をもって接触させるための転写用押圧ローラが設けられていることを特徴とする請求項１に記載の紙ジャム解除機構。
【請求項３】
前記第１の開閉体が、前記給紙カセットから記録紙を給紙する給紙口の外方を覆うように設けられていると共に、
前記第１の開閉体を外方に開いた場合に前記第１の開閉体の前記給紙口に対応する部分に前記給紙口を開放する向きに傾動し得る補助開閉体が設けられていることを特徴とする請求項１または請求項２に記載の紙ジャム解除機構。
【請求項４】
前記第２の開閉体の内面に、記録紙を搬送するための搬送ローラが設けられていることを特徴とする請求項１乃至請求項３のいずれかに記載の紙ジャム解除機構。
【請求項５】
前記第１及び前記第２の各開閉体を開いた場合に前記本体に対してそれぞれ所定の開放角度で保持するための保持手段が設けられていることを特徴とする請求項１乃至請求項４のいずれかに記載の紙ジャム解除機構。
【請求項６】
前記第１の開閉体の開放角度が、前記転写装置を前記本体に対して挿抜可能な大きさであることを特徴とする請求項５に記載の紙ジャム解除機構。
【請求項７】
前記第２の開閉体の開放角度が、前記定着装置を前記本体に対して挿抜可能な大きさであることを特徴とする請求項５に記載の紙ジャム解除機構。
【請求項８】
給紙カセットから給紙される記録紙を本体の上方向に第１の搬送路を介して排紙トレイへ搬送すると共に、前記第１の搬送路から前記排紙トレイ側へ排出された記録紙を前記第１の搬送路の給紙側に戻し得るように前記第１の搬送路に並列に設けられた第２の搬送路とを有する縦型搬送手段における紙ジャムを解除するための紙ジャム解除機構であって、
前記第１の搬送路の途中に転写装置及び定着装置が配設され、
前記第１の搬送路の前記定着装置より前記給紙カセット側の下側搬送路と、前記第１の搬送路の前記定着装置から前記排紙トレイ側の上側搬送路と、前記第２の搬送路の前記定着装置より前記給紙カセット側の第２の下側搬送路と、前記第２の搬送路の前記定着装置から前記排紙トレイ側の第２の上側搬送路と、
前記下側搬送路の外側及び前記第２の下側搬送路の内側を形成しかつ前記下側搬送路の下部近傍を枢軸として前記本体の外方にて開閉可能に設けられた第１の開閉体と、
前記上側搬送路の外側及び前記第２の上側搬送路を形成しかつ前記上側搬送路の下部近傍を枢軸として前記本体の外方にて開閉可能に設けられた第２の開閉体と、
前記第２の下側搬送路の外側を形成しかつ前記第２の下側搬送路の下部近傍を枢軸として前記本体の外方にて開閉可能に設けられた第３の開閉体とを有することを特徴とする紙ジャム解除機構。
【請求項９】
前記下側搬送路に前記転写装置が配置され、
前記第１の開閉体の内面に、記録紙を前記転写装置の転写体に押圧力をもって接触させるための転写用押圧ローラが設けられ、
前記第３の開閉体の内面に、記録紙を搬送するための搬送ローラが設けられていることを特徴とする請求項８に記載の紙ジャム解除機構。
【請求項１０】
前記第１の開閉体が、前記給紙カセットから給紙される記録紙が取り出される給紙口の外方を覆うように設けられていると共に、
前記第１及び第３の開閉体を外方に開いた場合に前記第１の開閉体の前記給紙口に対応する部分に前記給紙口を開放する向きに傾動し得る補助開閉体が設けられていることを特徴とする請求項８または請求項９に記載の紙ジャム解除機構。
【請求項１１】
前記第３の開閉体を開いた場合に前記第１の開閉体に対して所定の開放角度で保持するための保持手段が設けられていると共に、前記第１及び前記第２の各開閉体を開いた場合に前記本体に対してそれぞれ所定の開放角度で保持するための保持手段が設けられていることを特徴とする請求項８乃至請求項１０のいずれかに記載の紙ジャム解除機構。
【請求項１２】
前記記録紙の紙ジャムが発生した場合にその位置を前記各開閉体別に検出するための紙ジャム位置検出手段と、前記紙ジャムが検出された時にその紙ジャム発生位置を外部に知らせるための紙ジャム位置表示手段とを有することを特徴とする請求項１乃至請求項１１のいずれかに記載の紙ジャム解除機構。
【請求項１３】
給紙カセットから給紙される記録紙を本体の上方向に搬送路を介して排紙トレイへ搬送する縦型搬送手段と、前記縦型搬送手段における紙ジャムを解除するための紙ジャム解除機構と、前記搬送される記録紙に画像を形成するべく前記搬送路の途中に配設された転写装置及び定着装置とを有する紙ジャム解除機構を備えた画像形成装置において、
前記紙ジャム解除機構が、前記搬送路の前記定着装置より前記給紙カセット側の下側搬送路と、前記搬送路の前記定着装置から前記排紙トレイ側の上側搬送路と、前記下側搬送路の外側を形成しかつ前記下側搬送路の下部近傍を枢軸として前記本体の外方にて開閉可能に設けられた第１の開閉体と、前記上側搬送路の外側を形成しかつ前記上側搬送路の下部近傍を枢軸として前記本体の外方にて開閉可能に設けられた第２の開閉体とを有することを特徴とする紙ジャム解除機構を備えた画像形成装置。
【請求項１４】
前記下側搬送路に前記転写装置が配置され、
前記第１の開閉体の内面に、記録紙を前記転写装置の転写体に押圧力をもって接触させるための転写用押圧ローラが設けられていることを特徴とする請求項１３に記載の紙ジャム解除機構を備えた画像形成装置。
【請求項１５】
前記第１の開閉体が、前記給紙カセットから記録紙を給紙する給紙口の外方を覆うように設けられていると共に、
前記第１の開閉体を外方に開いた場合に前記第１の開閉体の前記給紙口に対応する部分に前記給紙口を開放する向きに傾動し得る補助開閉体が設けられていることを特徴とする請求項１３または請求項１４に記載の紙ジャム解除機構を備えた画像形成装置。
【請求項１６】
前記第２の開閉体の内面に、記録紙を搬送するための搬送ローラが設けられていることを特徴とする請求項１３乃至請求項１５のいずれかに記載の紙ジャム解除機構を備えた画像形成装置。
【請求項１７】
前記第１及び前記第２の各開閉体を開いた場合に前記本体に対してそれぞれ所定の開放角度で保持するための保持手段が設けられていることを特徴とする請求項１３乃至請求項１６のいずれかに記載の紙ジャム解除機構を備えた画像形成装置。
【請求項１８】
前記第１の開閉体の開放角度が、前記転写装置を前記本体に対して挿抜可能な大きさであることを特徴とする請求項１７に記載の紙ジャム解除機構を備えた画像形成装置。
【請求項１９】
前記第２の開閉体の開放角度が、前記定着装置を前記本体に対して挿抜可能な大きさであることを特徴とする請求項１７に記載の紙ジャム解除機構を備えた画像形成装置。
【請求項２０】
給紙カセットから給紙される記録紙を本体の上方向に延在する第１の搬送路を介して排紙トレイへ搬送すると共に、前記第１の搬送路から前記排紙トレイ側へ排出された記録紙を前記第１の搬送路の給紙側に戻し得るように前記第１の搬送路に並列に設けられた第２の搬送路とを有する縦型搬送手段と、前記縦型搬送手段における紙ジャムを解除するための紙ジャム解除機構と、前記搬送される記録紙に画像を形成するべく前記第１の搬送路の途中に配設された転写装置及び定着装置とを有する紙ジャム解除機構を備えた画像形成装置において、
前記第１の搬送路の前記定着装置より前記給紙カセット側の下側搬送路と、前記第１の搬送路の前記定着装置から前記排紙トレイ側の上側搬送路と、前記第２の搬送路の前記定着装置より前記給紙カセット側の第２の下側搬送路と、前記第２の搬送路の前記定着装置から前記排紙トレイ側の第２の上側搬送路と、
前記下側搬送路の外側及び前記第２の下側搬送路の内側を形成しかつ前記下側搬送路の下部近傍を枢軸として前記本体の外方にて開閉可能に設けられた第１の開閉体と、
前記上側搬送路の外側及び前記第２の上側搬送路を形成しかつ前記上側搬送路の下部近傍を枢軸として前記本体の外方にて開閉可能に設けられた第２の開閉体と、
前記第２の下側搬送路の外側を形成しかつ前記第２の下側搬送路の下部近傍を枢軸として前記本体の外方にて開閉可能に設けられた第３の開閉体とを有することを特徴とする紙ジャム解除機構を備えた画像形成装置。
【請求項２１】
前記下側搬送路に前記転写装置が配置され、
前記第１の開閉体の内面に、記録紙を前記転写装置の転写体に押圧力をもって接触させるための転写用押圧ローラが設けられ、
前記第３の開閉体の内面に、記録紙を搬送するための搬送ローラが設けられていることを特徴とする請求項２０に記載の紙ジャム解除機構を備えた画像形成装置。
【請求項２２】
前記第１の開閉体が、前記給紙カセットから記録紙を給紙する給紙口の外方を覆うように設けられていると共に、
前記第１及び第３の開閉体を外方に開いた場合に前記第１の開閉体の前記給紙口に対応する部分に前記給紙口を開放する向きに傾動し得る補助開閉体が設けられていることを特徴とする請求項２０または請求項２１に記載の紙ジャム解除機構を備えた画像形成装置。
【請求項２３】
前記第３の開閉体を開いた場合に前記第１の開閉体に対して所定の開放角度で保持するための保持手段が設けられていると共に、前記第１及び前記第２の各開閉体を開いた場合に前記本体に対してそれぞれ所定の開放角度で保持するための保持手段が設けられていることを特徴とする請求項２０乃至請求項２２のいずれかに記載の紙ジャム解除機構を備えた画像形成装置。
【請求項２４】
前記記録紙の紙ジャムが発生した場合にその位置を前記各開閉体別に検出するための紙ジャム位置検出手段と、前記紙ジャムが検出された時にその紙ジャム発生位置を外部に知らせるための紙ジャム位置表示手段とを有することを特徴とする請求項１３乃至請求項２３のいずれかに記載の紙ジャム解除機構を備えた画像形成装置。
【発明の詳細な説明】
【技術分野】
【０００１】
本発明は、コピー機やファクシミリ機や印字装置またはそれらの複合機等における搬送経路で紙詰まりしたジャム紙を取り除くための紙ジャム解除機構及びこれを備えた画像形成装置に関するものである。
【背景技術】
【０００２】
一般に、画像形成装置（コピー機やファクシミリ機や印字装置またはそれらの複合機等）においては、記録紙の搬送経路（給紙カセットから排紙トレイに至る経路）部分での紙ジャム（紙詰まり）処理などのために、画像形成装置の搬送経路を外部からアクセスし得るように開閉可能な扉状の開閉体を設けるなどしている。例えば装置の下部に給紙カセットが配置されていると共に上部に排紙トレイが配置されているものでは上下方向に側面に沿うように搬送経路が設けられている（例えば、特許文献１参照。）。
【特許文献１】特開２００２−６８５６９号公報（第４頁、図６）
【発明の開示】
【発明が解決しようとする課題】
【０００３】
上記したような画像形成装置において上記開閉体の部分で紙ジャムが発生した場合にはその開閉体を開いて処理することになる。そのため、画像形成装置にあっては、その設置面積として、本体の占有面積の他に開閉体を開閉するための空きスペースが必要となる。さらに、従来の画像形成装置では、上記開閉体を１枚で構成しており、開閉体も大きくなる。そのような場合には、大きな開閉体を紙ジャム処理可能な程度に開くためには広大なスペースが必要になり、設置場所が制限されるという問題があった。
【０００４】
また、上記したように開閉体が大型化した場合には、そのゆがみを防止するために開閉体自体及びその枢支部分（回動支持軸など）の剛性を高める必要が生じる。そのため、開閉体の重量増となり、それにより開閉体の開閉作業を容易に行うことが難しくなるという問題も生じる。
【課題を解決するための手段】
【０００５】
このような課題を解決して、紙ジャム処理を簡単かつ容易に行うことができると共に広大な設置スペースを必要とせずに設置可能な紙ジャム解除機構及びこれを備えた画像形成装置を実現するために本発明に於いては、給紙カセットから給紙される記録紙を本体の上方向に搬送路を介して排紙トレイへ搬送する縦型搬送手段における紙ジャムを解除するための紙ジャム解除機構であって、前記搬送路の途中に転写装置及び定着装置が配設され、前記搬送路の前記定着装置より前記給紙カセット側の下側搬送路と、前記搬送路の前記定着装置から前記排紙トレイ側の上側搬送路と、前記下側搬送路の外側を形成しかつ前記下側搬送路の下部近傍を枢軸として前記本体の外方にて開閉可能に設けられた第１の開閉体と、前記上側搬送路の外側を形成しかつ前記上側搬送路の下部近傍を枢軸として前記本体の外方にて開閉可能に設けられた第２の開閉体とを有するものとした。あるいは、給紙カセットから給紙される記録紙を本体の上方向に搬送路を介して排紙トレイへ搬送する縦型搬送手段と、前記縦型搬送手段における紙ジャムを解除するための紙ジャム解除機構と、前記搬送される記録紙に画像を形成するべく前記搬送路の途中に配設された転写装置及び定着装置とを有する紙ジャム解除機構を備えた画像形成装置において、前記紙ジャム解除機構が、前記搬送路の前記定着装置より前記給紙カセット側の下側搬送路と、前記搬送路の前記定着装置から前記排紙トレイ側の上側搬送路と、前記下側搬送路の外側を形成しかつ前記下側搬送路の下部近傍を枢軸として前記本体の外方にて開閉可能に設けられた第１の開閉体と、前記上側搬送路の外側を形成しかつ前記上側搬送路の下部近傍を枢軸として前記本体の外方にて開閉可能に設けられた第２の開閉体とを有するものとした。
【発明の効果】
【０００６】
このように本発明によれば、搬送路での紙ジャム処理などの場合には、紙ジャム発生箇所に応じて第１及び第２の開閉体の対応する方を開くだけで良く、従来例のように１枚構成の開閉体のように広大な開扉用スペースを必要としないため、装置の設置面積として装置自体の占有面積の他には第１または第２の開閉体を開くのに必要なだけの狭い開扉用スペースを確保すれば良く、狭い所への設置が可能になる。また、各開閉体の大きさが小さいことにより、紙ジャム処理やメンテナンス作業時に作業者がより装置側に近づいた位置で作業することができるため姿勢が楽になると共に、ゆがみを防止するためや枢支部に対する高い剛性を必要とせず、開閉体を軽量化し得る。このため、紙ジャム処理時の開閉体の開閉作業が容易になるばかりでなく、組み立て時の開閉体の取り扱い性も向上し得る。
【０００７】
さらに、稼働中には温度を下げたくない定着装置を第２の開閉体側である上側搬送路に配置しており、これにより例えば定着装置側とは関係ない下側搬送路で紙ジャムが発生した場合には対応する第１の開閉体のみを開いて処理することができ、第２の開閉体を開くことにより定着装置の温度を不要に下げてしまうことを防止することができる。これにより、省エネルギ効果が大となる。
【０００８】
特に、第１の開閉体の内面に転写装置に記録紙を押圧する転写用押圧ローラを設けることにより、下側搬送路に対する紙ジャム処理時に転写用押圧ローラが転写装置側から離反するため、ジャム紙の取り出し時に転写装置が邪魔にならず紙ジャム処理が簡単かつ容易になる。また、第１の開閉体に、開いた際に給紙口を開放する向きに傾動し得る補助開閉体が設けられていることにより、下部を枢軸とする第１の開閉体を開いた場合に給紙口側が狭いという状態を解消することができ、その部分に対する紙ジャム処理が容易になる。また、第２の開閉体の内面に記録紙を搬送する搬送ローラを設けることにより、上側搬送路に対する紙ジャム処理時に搬送ローラが上側搬送路の対向面から離反するため、ジャム紙の取り出しを簡単かつ容易に行うことができる。また、第１及び第２の開閉体を所定の開放角度に保持することにより、紙ジャム処理のために各開閉体を開いた場合に所定の開放角度で停止させることができるため、紙ジャム処理時に開閉体がばたつくことを防止でき、ジャム紙の取り出しを簡単かつ容易に行うことができる。
【０００９】
また、第１の開閉体の開放角度を転写装置を挿抜可能な角度とすることにより、転写装置の部分で紙ジャムが発生した場合にはその処理を第１の開閉体を開くことで可能であると共に、転写装置のメンテナンスなどの場合には紙ジャム処理時と同様に第１の開閉体を開くのみで転写装置を着脱するこができ、第１の開閉体での紙ジャムの処理や転写装置のメンテナンスなどを簡単かつ容易に行うことができる。また、第２の開閉体の開放角度を定着装置を挿抜可能な角度とすることにより、定着装置の部分で紙ジャムが発生した場合にはその処理を第２の開閉体を開くことで可能であると共に、定着装置のメンテナンスなどの場合には紙ジャム処理時と同様に第２の開閉体を開くのみで定着装置を着脱するこができ、第２の開閉体での紙ジャムの処理や定着装置のメンテナンスなどを簡単かつ容易に行うことができる。
【００１０】
また、両面記録するべく第１の搬送路に並列に第２の搬送路を設けたものにおいて、それぞれ定着装置の所で分割し、定着装置より下側の第１及び第３の開閉体と、定着装置を含む上側の第２の開閉体とを設けたことから、各箇所での紙ジャム発生時にはそれぞれに対応する開閉体のみを開閉すれば良く、小さな開閉体を開くことで対応できる。したがって、従来例のような１枚の広大な開閉体を開くためのメンテナンス用の広大なスペースを必要とせず、装置の設置面積として、装置本体の占有面積の他には狭くても十分にメンテナンス可能な各開閉体の開扉スペースを確保すれば良いため、狭い所への設置が可能になる。また、各開閉体の大きさが小さくなるため、ゆがみを防止するためや枢支部に対する高い剛性を必要とせず、開閉体を軽量化し得る。このため、紙ジャム処理時の開閉体の開閉作業が容易になるばかりでなく、組み立て時の開閉体の取り扱い性も向上し得る。
【００１１】
さらに、稼働中には温度を下げたくない定着装置を第２の開閉体側である上側搬送路に配置しており、これにより例えば定着装置側とは関係ない下側搬送路で紙ジャムが発生した場合には対応する開閉体を開いて紙ジャム処理を行うことができ、不必要な時でも紙ジャム発生の度に第２の開閉体を開いて定着装置の温度を不要に下げてしまうことを防止することができる。これにより、省エネルギ効果が大となる。
【００１２】
特に、両面記録装置において、各開閉体の内面に搬送ローラを設けることにより、それらの部分で紙ジャムが発生した場合に各対応する開閉体を開くことにより、搬送ローラが搬送路の対向面から離反するため、ジャム紙の取り出しを簡単かつ容易に行うことができる。また、第１及び第３の開閉体を開いた際に、第１の開閉体に給紙口を開放する向きに傾動し得る補助開閉体が設けられていることにより、下部を枢軸とする第１の開閉体を開いた場合に給紙口側が狭いという状態を解消することができ、その部分に対する紙ジャム処理が容易になる。また、各開閉体を開いた場合にそれぞれ所定の開放角度で保持するための保持手段を設けることにより、紙ジャム処理のために各開閉体を開いた場合に所定の開放角度で停止させることができるため、紙ジャム処理時に開閉体がばたつくことを防止でき、ジャム紙の取り出しを簡単かつ容易に行うことができる。
【００１３】
また、紙ジャム位置検出手段と紙ジャム位置表示手段とを設けることにより、紙ジャム発生時にその位置を容易に知ることができ、対応する位置の開閉体のみを開けば良く、紙ジャムの処理を確実に、また簡単かつ容易に行うことができる。
【００１４】
あるいは、紙ジャム解除機構を備えた画像形成装置においても上記と同様の効果を奏し得る。
【発明を実施するための最良の形態】
【００１５】
紙ジャム処理を簡単かつ容易に行うことができるという目的を、搬送路を構成する開閉体を適所で分割することで、構造を複雑化せずに実現した。
【実施例１】
【００１６】
図１は、本発明が適用された画像形成装置として例えばファクシミリ／コピー複合機の概略構成を側面から示す図である。なお、本発明に基づく記録紙搬送装置または画像形成装置は、上記複合機への適用に限られるものではなく、記録紙の両面に記録するようにした種々の装置に適用可能である。
【００１７】
図示例の複合機にあっては、記録紙ＰＰの束を収容すると共に本体１の下部に配置された給紙カセット２と、その給紙カセット２から給紙される記録紙を図の上方に向けて搬送する経路となる第１の搬送路としての第１の紙パス３と、第１の紙パス３の外側部分に併設されて第１の紙パス３の排出側から給紙側に記録紙を搬送する経路となる第２の搬送路としての第２の紙パス４と、第１の紙パスの排出側から第１の紙パス側とは相反する側に向けて略水平状態に記録紙を搬送する経路となる第３の紙パス５とが設けられている。なお、これら各紙パス３〜５は、記録紙を挟持しつつ搬送するように適所に配置された複数の各一対のローラと、各一対のローラ間の搬送路を形成するガイド面とにより構成されている。
【００１８】
各一対のローラにあっては、駆動ローラと従動ローラとの組み合わせであって良く、少なくとも一方に記録紙との間に摩擦力を発生させるためにゴム材の被覆が施され、記録紙を両ローラ間で圧接するように例えば従動ローラが駆動ローラに弾発付勢されている。したがって、各一対のローラの一方が搬送路の一方のガイド面側に設けられ、他方のローラが搬送路の対峙する他方のガイド面側に設けられている。
【００１９】
また、本体１内には、第１の紙パス３を通過する記録紙の一方の面に画像を転写するための中間転写体６が設けられている。中間転写体６は、互いに離間しかつ並行に設けられた一対のローラ７ａ・７ｂ間に転写ベルト８を掛け渡した形態をなし、一方のローラ７ａを第１の紙パス３の中間部に臨ませるようにセットされている。図示例における中間転写体６の下方にはカラーの三原色及び黒色用の各ＯＰＣ及び現像器からなる４つの現像ユニット９が配設されており、各現像ユニット９の各ＯＰＣ上にはＬＳＵ（レーザースキャニングユニット）１０により露光された潜像が形成され、各現像器により現像された後に、各ＯＰＣ上の現像が転写ベルト８上に逐次転写される。
【００２０】
第１の紙パス３は、給紙カセット２の記録紙給紙口に設けられたピックアップローラ２ａに臨むように隣接する位置に設けられた第１の給紙ローラ３ａから、第３の紙パス５側に設けられた第１の排紙ローラ３ｂを介して、その第１の排紙ローラ３ｂと第３の紙パス５との間に設けられた搬送反転手段としての２方向搬送ローラ１１に至るように設けられている。この２方向搬送ローラ１１は、中間駆動ローラ１１ａとそれを挟むように配置された２本の従動ローラ１１ｂ・１１ｃとの３本のローラにより構成されている。また、第１の紙パス３の経路中には、上記中間転写体６の一方のローラ７ａとそれに対向する転写ローラＲ２とが設けられ、それよりも記録紙排出側の適所に定着器１２が設けられていると共に、記録紙の搬送方向長さの仕様に応じて適所に各一対の搬送ローラがそれぞれ配設されている。
【００２１】
第２の紙パス４は、２方向搬送ローラ１１から、第１の紙パス３における第１の排紙ローラ３ｂに隣接する位置に設けられた第２の給紙ローラ４ａを介して、第１の給紙ローラ３ａに隣接する位置に設けられた第２の排紙ローラ４ｂに至るように設けられている。この第２の紙パス４の経路中にも、記録紙の搬送方向長さの仕様に応じて適所に各一対の搬送ローラがそれぞれ配設されている。
【００２２】
第３の紙パス５は、２方向搬送ローラ１１から本体１の外部に臨む位置に至る範囲に設けられている。この第３の紙パス５の経路中には記録紙の搬送方向長さの仕様に応じて所定のピッチで複数の搬送ローラ５ａが配設されている。
【００２３】
また、第１の排紙ローラ３ｂ及び第２の給紙ローラ４ａと２方向搬送ローラ１１との間には、第１の紙パス３から排出される記録紙を２方向搬送ローラ１１の中央の中間駆動ローラ１１ａに対して図における上側従動ローラ１１ｂと下側従動ローラ１１ｃとの各間へ選択的にガイド可能に傾動するようにされた切替手段としての第１のパス切替ガイド片１３が設けられている。２方向搬送ローラ１１と第３の給紙ローラ５ａとの間には、第１の紙パス３から２方向搬送ローラ１１の中間駆動ローラ１１ａ及び下側従動ローラ１１ｃ間を介して搬送される記録紙を第３の紙パス５に向けてガイドする位置と、第３の紙パス５に送られた記録紙を第２の紙パス４に向けて戻すべく２方向搬送ローラ１１の中間駆動ローラ１１ａ及び上側従動ローラ１１ｂ間に向けてガイドする位置との２位置を選択的に取り得るように傾動する第２のパス切替ガイド片１４が設けられている。これら両パス切替ガイド片１３・１４も搬送反転手段を構成する。これら各紙パス３〜５及び両パス切替ガイド片１３・１４により記録紙搬送装置が構成されている。
【００２４】
第１及び第２の紙パス３・４を形成する部分には、各紙パス３・４の途中にて紙詰まりを起こした場合にその記録紙を排除できるように、本体１の側面に対して及び互いに開閉自在にされた複数の開閉体が設けられている。本図示例にあっては、両紙パス３・４を定着器１２を含む上半分とそれより下側の下半分とで分割して各紙パス３・４を露出可能にするように複数の開閉体が設けられている。
【００２５】
ここで、上記各開閉体の構成について示す。なお、本体１及び各開閉体における互いに対峙する面により各紙パス３・４のガイド面が形成されており、各対をなす駆動ローラ及び従動ローラは開閉体の開扉状態で互いに離反するように各部材に設けられている。第１の紙パス３における第１の給紙ローラ３ａと定着器１２との間には、中間転写体６の一方のローラ７ａにおける前後の範囲のガイド面を形成する第１の開閉体１５が設けられていると共に、第１の開閉体１５の給紙カセット２側端部と第１の給紙ローラ３ａ（給紙口）との間のガイド面を形成する補助開閉体１６が設けられている。また、第１の紙パス３における定着器１２と第１のパス切替ガイド片１３との間には、定着器１２と共にその範囲のガイド面を形成する第２の開閉体１７が設けられている。また、第２の紙パス４における定着器１２を含む上側のガイド面も、定着器１２と共に第２の開閉体１７により形成されている。
【００２６】
第２の紙パス４における下半分側には、第２の紙パス４における第２の開閉体１７との境界から第２の排紙ローラ４ｂの近傍に至るガイド面を形成する第３の開閉体１９が設けられている。この第３の開閉体１９は、その図における下端部を第１の開閉体１５の下端部に傾動自在に支持されて、第１の開閉体１５に対して傾動自在に組み付けられている。第１の開閉体１５には、さらに上記補助開閉体１６が傾動自在に組み付けられている。
【００２７】
なお、紙詰まり発生距離が短く、紙詰まり処理が比較的容易なので、本実施例では特に設けていないが、第２の紙パス４における上半分側に、第２の給紙ローラ４ａと定着器１２の外側を通る部分との範囲のガイド面を形成する第４の開閉体を設けても良い。この場合には、第４の開閉体の下端部を本体１に傾動自在に支持し、この第４の開閉体に上記第２の開閉体１７を傾動自在に組み付けることで可能である。
【００２８】
これら第１〜第３の各開閉体１５・１７・１９にあっては、第１及び第２の開閉体１５・１７は下端部を本体に対して枢支され、第３の開閉体１９は上記したように下端部を第１の開閉体に枢支されている。また、第１及び第２の開閉体１５・１７は上端部を本体１との間に設けたラッチ手段（図示せず）により係止され、第３の開閉体１９は上端部を第１の開閉体１５との間に設けたラッチ手段（図示せず）により係止されるようになっている。
【００２９】
本体１に水平状態に延在するようにされた第３の紙パス５における下側ガイド面は本体１の対応する部分により形成され、その下側ガイド面を上側から覆うように設けられた第５の開閉体２０により上側ガイド面が形成されている。この第５の開閉体２０は、上方に傾動可能にされたり、上方に取り外し可能にされたりするものであって良い。これにより、第３の紙パス５における紙詰まりに対処し得る。
【００３０】
なお、第３の開閉体１９の下方には手差しトレイ２１が設けられているが、この手差しトレイ２１は、任意であり、取り付けられていなくても良い。また、本体１の上部には、原稿の載置台及び光学式の画像読込装置２２や原稿カバー及びＡＤＦ２３などが設けられているが、これらは周知の複写機などと何ら変わるところはないので、ここでの説明は省略する。
【００３１】
本体１の上記各開閉体１５・１７・１９とは相反する側の側面には外部排紙トレイ２５が取り付けられている。そして、本体１における第３の紙パス５の下方となる部分には、その部分を側面（本体１の正面）に対して凹設した形状の第２の排紙トレイとしての内部排紙トレイ２４が設けられている。
【００３２】
また、各紙パス３〜５における紙ジャム発生を検出するための紙ジャム位置検出手段としての紙通過センサがそれぞれ適所に配設されている。本図示例にあっては、図２に示されるように、給紙トレイ２のピックアップローラ２ａの近傍に給紙カセット通過センサ３１が設けられ、第１の紙パス３の下半部であって中間転写体６の上流側にレジストセンサ３２が設けられ、定着器１２の給紙側に定着入口センサ３３が設けられ、第１の紙パス３の上半部であって定着器１２の排紙側に定着出口センサ３４が設けられている。
【００３３】
また、第１の排紙ローラ３ｂと２方向搬送ローラ１１との間には、第１の紙パス３に対応する部分にインナ排紙センサ３５が設けられ、第２の紙パス４に対応する部分に第１の両面記録紙通過センサ３６が設けられている。第２の紙パス４の上半部には第２の両面記録紙通過センサ３７が設けられ、第２の紙パス４の下半部には第３の両面記録紙通過センサ３８が設けられている。なお、第３の紙パス５であって２方向搬送ローラ１１側には排紙部通過センサ３９が設けられ、第３の紙パス５の外部排紙トレイ２５側にはアウタ排紙センサ４０が設けられている。
【００３４】
上記各センサ３１〜４０の構造について、図３（ａ）に示される紙通過センサ３６を代表して示す。その紙通過センサ３６は、センサ本体３６ａに傾動自在に枢支されかつ記録紙（図のＰ１）の通過面に対して弾発付勢されたレバー３６ｂを有し、そのレバー３６ｂの変位をセンサ本体３６ａ内の光センサにより検出するようにしたものであって良い。記録紙Ｐ１の通過時にはレバー３６ｂの遊端が記録紙Ｐ１の紙面に摺接し、記録紙Ｐ１の非通過時には図３（ｂ）に示されるようにレバー３６ｂの遊端が記録紙Ｐ１の通過面を横切って位置するようになり、両位置間におけるレバー３６ｂの変位を検出することにより、記録紙の通過／紙ジャム発生を検出することができる。
【００３５】
各センサ３１〜４０のセンサ信号は、図においてセンサ３６を代表して示すように本体１の制御ユニット４１に出力される。また、例えば操作パネル（図示せず）には紙ジャム位置表示手段としての表示パネル４２が設けられており、制御ユニット４１により各センサ３１〜４０の検出信号を監視し、紙ジャム発生時にはセンサ３１〜４０に応じた紙ジャム位置が表示パネル４２上に表示されるようになっている。
【００３６】
次に、本発明装置の両面記録時の作動要領について図１の要部を模式的に示す図４（ａ）〜（ｇ）を参照して以下に説明する。
【００３７】
まず、１枚目の記録紙Ｐ１が図４（ａ）に示されるように給紙カセット２から引き出され、第１給紙ローラ３ａ及び他の搬送ローラにより第１の紙パス３を搬送され、その間に中間転写体６及び定着器１２を通過することにより片面（表面）に画像が記録される。その記録紙Ｐ１が第１の紙パス３から排出される時には、第１のパス切替ガイド片１３を第１の紙パス３側に臨ませる側に位置させて、第１の紙パス３から排出される片面記録済み記録紙Ｐ１を２方向搬送ローラ１１の中間駆動ローラ１１ａ及び上側従動ローラ１１ｂ間に向けてガイドする。なお、第２のパス切替ガイド片１４を、図の実線に示されるように方向搬送ローラ１１の中間駆動ローラ１１ａ及び上側従動ローラ１１ｂ間に臨ませる側に位置させる。
【００３８】
上記各パス切替ガイド片１３・１４の状態を図３（ａ）に拡大して示す。図３（ａ）に示されるように、１枚目の記録紙Ｐ１が第１の紙パス３から排出されてきた場合には、２方向搬送ローラ１１の中間駆動ローラ１１ａの回転方向は図の矢印に示されるように反時計回りである。このようにして１枚目の記録紙Ｐ１を第３の紙パス５に送る。両面記録時には記録紙Ｐ１の他方の片面（裏面）にも記録するために、記録紙Ｐ１を第３の紙パス５から第２の紙パス４に向けて反転させる。
【００３９】
上記記録紙Ｐ１の反転時には、図３（ｂ）に示されるように、記録紙Ｐ１の後端が２方向搬送ローラ１１を通過する前に中間駆動ローラ１１ａを図の矢印に示される時計回り方向に逆転させる。この逆転制御は、２方向搬送ローラ１１の第１のパス切替ガイド片１３側の所定の位置に紙検出センサ３６を設けておき、記録紙の通過を検出したら逆転させるように制御することにより可能である。この逆転時には、第１のパス切替ガイド片１３を図３（ｂ）に示されるように第２の紙パス４に臨ませる側に切り替える。これにより、記録紙Ｐ１が２方向搬送ローラ１１により図３（ｂ）の矢印Ａに示されるように第２の紙パス４に向けて送られる。
【００４０】
この時、図４（ｂ）に示されるように２枚目の記録紙Ｐ２を上記図４（ａ）と同様に給紙カセット２から取り出す。１枚目の記録紙Ｐ１が第２の紙パス４を搬送され始めたら、第１のパス切替ガイド片１３を第１の紙パス３側に切り替え、図４（ｃ）に示されるように２枚目の記録紙Ｐ２を２方向搬送ローラ１１により第３の紙パス５に向けて搬送する。
【００４１】
次に、図４（ｄ）に示されるように、図４（ｂ）と同様に第１のパス切替ガイド片１３を第２の紙パス４側に切り替えて２枚目の記録紙Ｐ２を第２の紙パス４に向けて搬送する。この時は、３枚目の記録紙Ｐ３が給紙カセット２から取り出されて第１の紙パス３に搬送され始めており、第２の紙パス４から第１の紙パス３に戻される１枚目の記録紙Ｐ１と記録紙Ｐ３とが干渉する虞のある場合には、紙検出センサ（図示せず）で第１の紙パス３を搬送されている記録紙を検出したら１枚目の記録紙Ｐ１を第２の紙パス４の排出端手前で停止させておく。この停止制御は、各紙パス３・４の経路長と記録紙の搬送方向長さとの関係により行う必要がない場合もある。
【００４２】
上記３枚目の記録紙Ｐ３の通過を上記紙検出センサで検出したら、１枚目の記録紙Ｐ１を第１の紙パス３に搬送する。この状態では図４（ｅ）に示されるようになり、１枚目の記録紙Ｐ１に対する２回目の記録を行い、２枚目の記録紙Ｐ２が第２の紙パス４を搬送され、３枚目の片面記録済み記録紙Ｐ３が第３の紙パス５に搬送される。
【００４３】
そして、片面記録済み記録紙Ｐ３と両面記録済み記録紙Ｐ１とが２方向搬送ローラ１１ですれ違う場合には、図４（ｆ）に示されるように、第１の切り替えガイド片１３を上記図４（ｂ）に示されるように位置させて、１枚目の記録紙Ｐ１を第１の切り替えガイド片１３の下側でガイドして２方向搬送ローラ１１の中間駆動ローラ１１ａ及び下側従動ローラ１１ｃ間に向けて搬送すると共に、中間駆動ローラ１１ａ及び上側従動ローラ１１ｂ間から反転してくる３枚目の記録紙Ｐ３を第１の切り替えガイド片１３の上側でガイドして第２の紙パス４に向けて搬送する。また、第２の切り替えガイド片１４を中間駆動ローラ１１ａ及び下側従動ローラ１１ｃ間に臨ませる側に切り替えておき、１枚目の記録紙Ｐ１を２方向搬送ローラ１１から第３の紙パス５へとガイドする。なお、図４（ｆ）の状態では、４枚目の記録紙Ｐ４が給紙カセット２から取り出されると共に、第２の紙パス４を搬送される２枚目の片面記録済み記録紙Ｐ２が上記図４（ｄ）と同様に停止している。
【００４４】
次に、図４（ｇ）に示されるように、１枚目の両面記録済み記録紙Ｐ１が第３の紙パス５を介して外部排紙トレイ２５に排出され、２枚目の記録紙Ｐ２が第２の紙パス４から第１の紙パス３に移り、３枚目の記録紙Ｐ３が第２の紙パス４を搬送され、４枚目の記録紙Ｐ４が第１の紙パス３から第３の紙パス５に向けてガイドされる。この後は、両面記録済みの１枚目の記録紙Ｐ１が外部排紙トレイ２５に排出され、連続記録枚数に応じて、各記録紙が図４（ｆ）に示される状態と図４（ｇ）に示される状態とを繰り返すことになる。
【００４５】
上記図示例では両面記録済み記録紙を第３の紙パス５を介して外部排紙トレイ２５に排出するようにしたが、内部排紙トレイ２４に排出することもできる。その場合には、図４（ｆ）において第２のパス切替ガイド片１４を想像線に示されるように位置させて、第２の切り替えガイド片１４の下側で記録紙を内部排紙トレイ２４側にガイドする。この選択はユーザが任意に設定するものであって良い。
【００４６】
また、片面のみに記録して終わらせる場合には、片面記録済み記録紙が第１の紙パス３を通過して第３の紙パス５に送られた時に２方向搬送ローラ１１を逆転させずに排出側に搬送する向きに駆動し続けることにより、そのまま外部排紙トレイ２５に排出することができる。内部排紙トレイ２４に排出する場合には、上記片面記録済み記録紙が第１の紙パス３を通過して第３の紙パス５に送られた時に上記と同様に第２のパス切替ガイド片１４を図４（ｆ）の想像線に示される位置にすれば良い。このように各パス切替ガイド片１３・１４の切替制御で、記録紙を内部排紙トレイ２４または外部排紙トレイ２５の任意の方へ自在に振り分けることができる。
【００４７】
次に、本装置における紙ジャム発生時の処理要領について以下に示す。なお、紙ジャムの発生の有無は各センサ３０〜４０が紙通過を検出している時間が搬送方向長さに応じて所定時間以上経過することをもって判断することができる。
【００４８】
第１の紙パス３の下半部で紙ジャムが発生した場合には給紙カセット通過センサ３１またはレジストセンサ３２で検出でき、その検出結果に応じて表示パネル４２の対応する表示灯が点灯する。これにより、ユーザは給紙カセット２の給紙口または第１パス３の下半部で紙ジャムが発生したことを確認し得る。なお、第１の紙パス３の上半部や第２の紙パス４の上半部または下半部で紙ジャムが発生した場合にも、上記と同様に、各センサ３３〜３８で検出すると共にその検出結果に応じて表示パネル４２の対応する表示灯が点灯することができる。
【００４９】
図５に示されるように、第３の開閉体１９は、第１の開閉体１５に対して矢印Ｂに示されるように傾動可能にその下部近傍を第１の開閉体１５に枢軸４４を介して支持されている。また、両開閉体１５・１９間には、第３の開閉体１９を第１の開閉体１５に対して閉じた状態に保持し得るラッチ機構（図示せず）が設けられている。これにより、第２の紙パス４の下半部で紙ジャムが発生した場合には、第３の開閉体における第１の開閉体１５に対するラッチ状態を解除して図５に示されるように本体１の外方に開くことができ、第１の開閉体１５の外面からなる第２の紙パス４の内側ガイド面と、第３の開閉体１９の内面からなる第２の紙パス４の外側ガイド面とが大きく開かれるため、その部分のジャム紙を取り除くことができる。
【００５０】
この時、第１の開閉体１５の外面と第３の開閉体１９の内面とに設けられた一対の搬送ローラＲ５・Ｒ６が互いに離反するため、ジャム紙がローラに挟持された状態から解放され、ジャム紙をローラの抵抗を受けることなく容易に取り除くことができる。なお、第３の開閉体１９を所定の開放角度（閉扉位置と最大開扉位置との間の角度）で保持するために、第３の開閉体１９の下端部を開扉方向に対して所定位置で係止するストッパ４８が第１の開閉体１５に設けられている。
【００５１】
また図６に示されるように、第１の開閉体１５は、本体１に対して矢印Ｂに示される向きに傾動可能にその下部近傍を本体１に枢軸４３を介して支持されている。第１の開閉体１５は、本体１に対してラッチ機構（図示せず）により閉じた状態に保持され得るようになっている。これにより、第１の紙パス３の下半部で紙ジャムが発生した場合には、第１の開閉体の本体１に対するラッチ状態を解除し、図６に示されるように第１の開閉体１５を本体１の外方に開くことができる。
【００５２】
第１の開閉体１５のガイド面（内面）１５ａには、一対の搬送ローラの一方のローラＲ１と、中間転写体６のローラ７ａに対応する転写ローラＲ２とが設けられており、第１の開閉体１５の開扉時には、それらのローラＲ１・Ｒ２が第１の開閉体１５と共に外側に変位して、各一対の搬送ローラ間で紙ジャムを起こしたジャム紙がローラに挟持された状態から解放されるため、ジャム紙をローラの抵抗を受けることなく容易に取り除くことができる。上記したように、第３の開閉体１９は、第１の開閉体１５にラッチされて一体化されており、第１の開閉体１５を傾動させる場合には第３の開閉体１９を操作する必要は無い。なお、第１の開閉体１５を所定の開放角度（閉扉位置と最大開扉位置との間の角度）で保持するために、第１の開閉体１５の下端部を開扉方向に対して所定位置で係止するストッパ４５が本体１に設けられている。
【００５３】
第１の開閉体１５及び第３の開閉体１９の各開閉時の円弧運動の半径はそれぞれ対応する紙パス３・４の全体の略半分の長さで良いため、各紙パス３・４の全体の長さと同程度の長さを有する大きな開閉体を設けたものに対して、開閉のために必要な開閉スペース（ＬＳ１）を狭くすることができる。また、第１及び第３の各開閉体１５・１９が図５・６にそれぞれ示されるように十分に大きな開放角度で開き、かつその状態が上記したように各ストッパ４５・４８により保持されることから、例えば片手で開閉体を保持しながら作業を行う必要が無く、紙ジャム処理を容易に行うことができると共に、各開閉体１５・１９のばたつきも防止され、作業性が良い。
【００５４】
また、第１の開閉体１５が開いた場合には、それにより開放された部分に中間転写体６の第１の紙パス３側が露出する。中間転写体６は本体１に対して水平状態にセットされており、そのメンテナンス時には水平方向に変位させることになる。上記したように第１の開閉体１５の長さ（円弧運動時の回転半径）が短く、第１の開閉体１５の開放角度を大きくすることができるため、中間転写体６を図６の矢印Ｄに示されるように本体１の外方にスライドさせて取り外す作業を容易に行うことができる。上記したように第１の開閉体１５（第３の開閉体１９）の長さは紙パス３（４）の略半分の長さで良いため、本体１の側面と開扉時の開閉体の突出端との距離ＬＳ１が短くなり、それだけ作業者が本体１に近付くことができるため、上記紙ジャム処理や中間転写体６の着脱作業を容易に行うことができる。
【００５５】
また、第１の開閉体１５の給紙口側（第１の給紙ローラ３ａ側）に設けられている補助開閉体１６は、その重心位置が下側になるように第１の開閉体１５の両脇に一体化されたブラケット（図の想像線）に枢軸４６を介して揺動自在に支持されている。これにより、第１の開閉体１５を開いた場合に補助開閉体１６は図６の矢印Ｃに示される向きに傾動し、補助開閉体１６側の給紙ローラ３ａが頭を垂れるように変位するため、一対の給紙ローラ３ａ間が大きく開くようになる。したがって、給紙口でのジャム紙の処理を容易に行うことができる。
【００５６】
図７に示されるように、第２の開閉体１７は、本体１に対して矢印Ｅに示されるように傾動可能にその下部近傍を本体１に枢軸４７を介して支持されている。本図示例における第２の開閉体１７は、定着器１２を外囲すると共に第１の紙パス３の上半部と第２の紙パスの上半部とを定着器１２と共に画定する形状に形成されている。また、上記と同様に第２の開閉体１７は、本体１に対してラッチ機構（図示せず）により閉じた状態に保持され得るようになっている。また、本体１側には、第２の開閉体１７を所定の開放角度（閉扉位置と最大開扉位置との間の角度）で保持するために、第２の開閉体１７の下端部を開扉方向に対して所定位置で係止するストッパ４９が設けられている。
【００５７】
第１の紙パス３の上半部で紙ジャムが発生した場合には、第２の開閉体１７の本体１に対するラッチ状態を解除し、図７に示されるように第２の開閉体１７を本体１の外方に開く。第２の開閉体１７のガイド面（内面）１７ａには各一対の搬送ローラの一方のローラＲ３・Ｒ４が設けられており、第２の開閉体１７の開扉時には、上記と同様にそれらのローラＲ３・Ｒ４が第２の開閉体１７と共に外側に変位して本体１側の各対をなすローラから離反するため、ジャム紙をローラの抵抗を受けることなく容易に取り除くことができる。
【００５８】
また、第２の開閉体１７の開閉時における円弧運動の半径も第１の紙パス３（第２の紙パス４）の全体の略半分の長さで良いため、開閉のために必要な開閉スペースを狭くすることができる。さらに、第２の開閉体１７も図７に示されるように十分に大きな開放角度で開き、かつその状態がストッパ４９により保持されることから、上記同様に片手で開閉体を保持しながら作業を行う必要が無く、紙ジャム処理を容易に行うことができると共に、第２の開閉体１７のばたつきも防止され、作業性が良い。
【００５９】
また、本図示例では第２の開閉体１７の開扉時における本体１からの突出長さＬＳ２が開閉体の開扉スペースの最大値になるが、図に示されるように、手差しトレイ２１の突出長さと同程度となり、設置スペース（本体１の占有面積＋開閉スペース）が狭い場所に何ら問題なく設置可能である。
【００６０】
また、第２の開閉体１７を開いた場合には、それにより開放された部分に定着器１２が露出する。定着器１２は、定着ローラ１２ａと加圧ローラ１２ｂとを一体的に有し、両ローラ１２ａ・１２ｂ間に記録紙を通して画像の定着を行うものであり、本体１に対して第２の開閉体１７とは別個に着脱可能に設けられている。上記したように第２の開閉体１７を大きく開くことができるため、図８の矢印Ｆに示されるように定着器１２の着脱を容易に行うことができる。また、上記したように本体１の側面と第２の開閉体１７の開扉における突出端との距離ＬＳ２が短く、それだけ作業者が本体１に近付くことができるため、上記紙ジャム処理や定着器１２の着脱作業を容易に行うことができる。
【００６１】
なお、第２の紙パス４の上半部で紙ジャムが発生した場合には、図７に示されるように第２の開閉体１７を外方に開いてその紙ジャム処理を行う。第２の開閉体１７による第２の紙パス４における内側ガイド面の一部が定着器１２の外面により形成されていることから、第２の開閉体１７を開いた場合には、第２の紙パス４における内外ガイド面で隠れている部分が短いため、ジャム紙の一部が必ず露出するようになり、紙ジャム処理を何ら問題なく行うことができる。また、本体１により形成される第１の紙パス３の内側ガイド面と、第２の開閉体１７の内面により形成される第１の紙パス４の外側ガイド面とが大きく開かれるため、その部分での紙ジャム処理を容易に行うことができる。
【００６２】
このように、稼働中には温度を下げたくない定着器１２が第２の開閉体１７側である第１の紙パス３の上半部（上側搬送路）に配置されているため、例えば定着器１２側とは関係ない第１の紙パス３の下半部（下側搬送路）で紙ジャムが発生した場合には対応する第１の開閉体１５を開くだけで良い。したがって、紙ジャム発生時の開閉体の開扉により定着器１２が毎回外気にさらされて温度が低下してしまうことを防止できるため、省エネルギ効果を大きくし得る。
【００６３】
なお、上記図示例では両面記録可能な画像形成装置について示したが、本発明は、片面記録型の画像形成装置であっても適用可能である。その場合には、上記図示例において、第２の紙パス４を無くすことにより可能であり、例えば第１及び第３の開閉体１５・１９を一体化して、上下に分割された２つの開閉体とすれば良い。
【産業上の利用可能性】
【００６４】
本発明にかかる紙ジャム解除機構及びこれを備えた画像形成装置は、狭い所への設置が可能になると共に開閉体の開閉作業や組み立て時の取り扱い性が容易になる効果を有し、コピー機やファクシミリ機や印字装置またはそれらの複合機等における搬送経路で紙詰まりしたジャム紙を取り除くための紙ジャム解除機構及びこれを備えた画像形成装置等として有用である。
【図面の簡単な説明】
【００６５】
【図１】本発明が適用された複合機の概略構成を側面から示す図である。
【図２】紙ジャム検出センサの配置を示す図である。
【図３（ａ）】反転部での搬送要領を示す説明図である。
【図３（ｂ）】反転部での搬送要領を示す説明図である。
【図４（ａ）】両面記録時の動作要領を示す説明図である。
【図４（ｂ）】両面記録時の動作要領を示す説明図である。
【図４（ｃ）】両面記録時の動作要領を示す説明図である。
【図４（ｄ）】両面記録時の動作要領を示す説明図である。
【図４（ｅ）】両面記録時の動作要領を示す説明図である。
【図４（ｆ）】両面記録時の動作要領を示す説明図である。
【図４（ｇ）】両面記録時の動作要領を示す説明図である。
【図５】第３の開閉体を開いた状態を示す図である。
【図６】第１の開閉体を開いた状態を示す図である。
【図７】第２の開閉体を開いた状態を示す図である。
【図８】定着器の着脱要領を示す図７に対応する図である。
【符号の説明】
【００６６】
１  本体
２  給紙カセット
３  第１の紙パス
４  第２の紙パス
５  第３の紙パス
６  中間転写体
１２  定着器
１５  第１の開閉体
１６  補助開閉体
１７  第２の開閉体
１９  第３の開閉体
３１〜４０  センサ
４３・４４  枢軸
４５  ストッパ
４６・４７  枢軸
４８・４９ストッパ
【図１】
2005082307.tif 000003
【図２】
2005082307.tif 000004
【図３（ａ）】
2005082307.tif 000005
【図３（ｂ）】
2005082307.tif 000006
【図４（ａ）】
2005082307.tif 000007
【図４（ｂ）】
2005082307.tif 000008
【図４（ｃ）】
2005082307.tif 000009
【図４（ｄ）】
2005082307.tif 000010
【図４（ｅ）】
2005082307.tif 000011
【図４（ｆ）】
2005082307.tif 000012
【図４（ｇ）】
2005082307.tif 000013
【図５】
2005082307.tif 000014
【図６】
2005082307.tif 000015
【図７】
2005082307.tif 000016
【図８】
2005082307.tif 000017